(57)【要約】【課題】広告・宣伝等の表示の効果を向上させ得る配布用マスクを提供する。【解決手段】この配布用マスク１０は、使用者の口許とその周辺を被覆するための本体部１およびその本体部１の両側から使用者の頭部に装着可能なようにそれぞれ延びる装着部３を有するマスク６と、そのマスク６を内包する包装部材８と、を備えており、マスク６には、その装着時に前記本体部１の第三者から視認可能な位置に広告・宣伝等（Ａ１）が表示されている。【選択図】図２
2006320475.tif 000002
【特許請求の範囲】
【請求項１】
使用者の口許とその周辺を被覆するための本体部および該本体部の両側から使用者の頭部に装着可能なようにそれぞれ延びる装着部を有するマスクと、該マスクを内包する包装部材と、を備える配布用マスクであって、
前記マスクには、その装着時に前記本体部の第三者から視認可能な位置に広告宣伝用の装飾が表示されていることを特徴とする配布用マスク。
【発明の詳細な説明】
【技術分野】
【０００１】
本発明は、配布用マスクに係り、特に、商標・スローガンなどを表示して消費者に配布する、いわゆるノベルティグッズとして好適に使用し得る配布用マスクに関する。
【背景技術】
【０００２】
近年、例えば花粉症等のアレルギー症状を持つ人が増加している。その症状としては、特に、鼻水、鼻詰まり、あるいはくしゃみ等、いわゆる鼻炎症状が顕著である。そのため、こうした症状を和らげる手段として、一般的にマスクが用いられている。しかし、この種のマスクは、使用者の口許とその周辺を被覆するものであり、また、例えば花粉症等は比較的長期に亘ってその症状が続くので、安価で衛生的なものが望ましい。そこで、この種のマスクには、使い捨てマスクが比較的多く用いられている（例えば特許文献１参照）。
【特許文献１】特開２００３−１８０８５２号公報
【発明の開示】
【発明が解決しようとする課題】
【０００３】
ところで、例えば商標・スローガンなどを日用雑貨品等に印刷して消費者等に無償で配布する、いわゆるノベルティグッズには種々のものがある。例えば上述のような使い捨てマスクにおいてもその対象として好適との理由から、これを包装する包装部材に対して、いわゆる名入れ等がなされている。
しかしながら、包装部材に名入れして配布された使い捨てマスクでは、使い捨てマスク自体には印刷等で広告・宣伝等の表示はされていない。そのため、このマスク装用時には、広告・宣伝等の表示の効果を奏しないので、例えばノベルティ用のボールペンと比較すれば、広告・宣伝等の表示の効果を期待する上で改善の余地がある。
そこで、本発明は、このような問題点に着目してなされたものであって、広告・宣伝等の表示の効果を向上させ得る配布用マスクを提供することを目的としている。
【課題を解決するための手段】
【０００４】
上記課題を解決するために、本発明は、使用者の口許とその周辺を被覆するための本体部および該本体部の両側から使用者の頭部に装着可能なようにそれぞれ延びる装着部を有するマスクと、該マスクを内包する包装部材と、を備える配布用マスクであって、前記マスクには、その装着時に前記本体部の第三者から視認可能な位置に広告宣伝用の装飾が表示されていることを特徴としている。
【０００５】
ここで、「広告宣伝用の装飾」とは、広告や宣伝用の文字、絵および模様、並びにこれらの組合わせのうちいずれかからなるものを含む意味である。
本発明によれば、少なくともマスクに、その本体部の第三者から視認可能な位置に広告宣伝用の装飾が表示されているので、このマスク装用時にも、第三者に対しても広告・宣伝等の表示の効果を奏することができる。
さらに、上記包装部材は、その視認可能な位置に、その包装するマスクでの広告宣伝用の装飾表示に関連する広告宣伝用の装飾を好適に表示し得る。このような構成とすれば、マスクの包装された状態、およびマスク装用時のいずれにおいても広告・宣伝等の表示の効果を奏することができる。
【０００６】
また、上記包装部材は、包装内のマスクに施された広告宣伝用の装飾表示を視認可能な材料を好適に使用し得る。このような構成とすれば、包装部材を通して内部のマスクに施された広告宣伝用の装飾表示が視認可能なので、例えば、包装部材自体への広告宣伝用の装飾表示を省略しても、マスクの包装された状態、およびマスク装用時のいずれにおいても広告・宣伝等の表示の効果を奏することができる。
また、本発明に係るマスクは、使い捨てマスクを好適にその対象とし得る。このような構成とすれば、安価なノベルティグッズとする上でより好適である。
【発明の効果】
【０００７】
本発明によれば、広告・宣伝等の表示の効果を向上させ得る配布用マスクを提供することができる。
【発明を実施するための最良の形態】
【０００８】
以下、本発明に係る配布用マスクの一実施形態について、図面を適宜参照しつつ説明する。なお、本実施形態は、本発明に係るマスクとして、通気性ある不織布製の使い捨てマスクに適用した例である。
図１は、本発明に係る配布用マスクの一実施形態を説明する図であり、同図では、本発明に係るマスクの包装前の状態を斜視図で示している。
【０００９】
同図に示すように、このマスク６は、ポリウレタン弾性不織布を使用しており、使用者の口許とその周辺を被覆するための本体部１と、その本体部１の両側から延びる装着部３とを備えて構成されている。
本体部１は、左右対称な略扇状の弾性繊維シートからなる２枚一組の本体部構成部材２で構成されている。各本体部構成部材２は、互いの輪郭が重なるように重ねられて、その円弧状の凸縁部が所定幅で相互に溶着部５で溶着されている。これにより、本体部１には、その本体部構成部材２を左右に開いたときに使用者の顔面に沿う湾曲を与えられるようになっている。
【００１０】
装着部３は、この本体部１の両側から、使用者の頭部に装着可能なように左右にそれぞれ延びている。さらに、各装着部３それぞれには、その略中央部にその延出方向に沿って細長く延びる切欠き孔からなる耳掛け部４を備えて形成されている。これにより、このマスク６は、上記本体部１（本体部構成部材２）を左右に開いてその中央の溶着部５を鼻先の上からあごの下付近に当てつつ、使用者の口許とその周辺を被覆するように顔に当て、上記装着部３の耳掛け部４を左右の耳にそれぞれ掛け止めて着用可能になっている。
【００１１】
ここで、このマスク６には、同図に示すように、その装着時に本体部１の第三者から視認可能な位置に広告宣伝用の装飾Ａ１が印刷によって表示されている。詳しくは、この例では、本体部１を構成する一方の本体部構成部材２（同図で向かって左側）での表面下側の一部分に、広告や宣伝用に、商標・スローガンを広告宣伝用の装飾Ａ１（以下、「広告宣伝用の装飾」を、単に「装飾」ともいう）として表示している（なお、同図ではそのイメージを二点鎖線で表している（以下同様））。なお、この装飾Ａ１の表示は、完成状態のマスク６に対して印刷を施すことで表示することができる。また、完成前の、例えば本体部構成部材２の状態で印刷することができるし、あるいはまた、裁断前のポリウレタン弾性不織布素材の段階で装飾Ａ１の印刷を施してもよい。
【００１２】
そして、上述のマスク６が、図２に示すように、左右対称な互いの輪郭を重ねる等の適宜の状態に折りたたまれて、このマスク６を内包するための包装部材８によって包装されて配布用マスク１０が構成される。
ここで、この包装部材８は、薄肉で透明な合成樹脂材料のシートから上記マスク６を一枚収容可能な封筒状の袋に形成されている。これにより、その包装内のマスク６に施された装飾Ａ１の表示を包装部材８の外から視認可能になっている。さらに、この包装部材８に対しても、同図に示すように、その視認可能な位置８ａに、上記マスク６での装飾Ａ１の表示に関連する広告宣伝用の装飾Ａ２が表示されている。
【００１３】
次に、この配布用マスクの作用・効果について説明する。
上述のように、この配布用マスク１０は、マスク６に、その装着時に本体部１の第三者から視認可能な位置に広告宣伝用の装飾Ａ１として、商標・スローガンを表示しているので、このマスク６を装用時にも、第三者に対しても広告・宣伝等の表示の効果を奏することができる。
さらに、この配布用マスク１０によれば、包装部材８は、その視認可能な位置に、その包装するマスク６での広告宣伝用の装飾Ａ１の表示に関連する広告宣伝用の装飾Ａ２を表示しているので、マスク６の包装された状態、およびマスク６を装用時のいずれにおいても広告・宣伝等の表示の効果を奏することができる。
【００１４】
また、この配布用マスク１０によれば、包装部材８は、包装内のマスク６に施された広告宣伝用の装飾Ａ１の表示を視認可能なように、透明な材料を使用している。そのため、この包装部材８を通して内部のマスク６に施された装飾Ａ１の表示が視認可能である。したがって、マスク６は、その包装された状態、およびマスク６の装用時のいずれにおいても広告・宣伝等の表示の効果を奏することができる。
【００１５】
また、この配布用マスク１０によれば、マスク６として、不織布素材で形成した使い捨てマスクを用いている。そのため、その製造のための手間が少なくて済みコストがかからないので、安価なノベルティグッズとする上でより好適である。
なお、本発明に係る配布用マスクは、上記実施形態に限定されるものではない。
例えば、上記実施形態では、表示する広告宣伝用の装飾Ａ１、Ａ２を、広告や宣伝用の、商標・スローガンにより表示した例で説明したが、これに限定されず、広告や宣伝用以外の文字、絵および模様、並びにこれらの組合わせのうちのいずれかからなるものをその装飾にさらに加えて表示する構成としてもよい。
【００１６】
また、例えば、上記実施形態では、マスク６は、使い捨てマスクをその対象とした例で説明したが、これに限定されず、例えば図３に例示するように、洗濯して繰り返し使用することができる布製のマスク１６をその対象として構成してもよい。しかし、安価なノベルティグッズとする上では、使い捨てマスクを用いることが好ましい。なお、布製のマスク１６の場合においても、表示する広告宣伝用の装飾を、例えば同図に符号Ａ３、Ａ４等で示すように、その少なくとも本体部１６ａの第三者から視認可能な位置に表示可能であることは勿論である。
【００１７】
また、例えば、使い捨てマスクを対象とした場合でも、上記例示したものに限定されず、例えば１枚の不織布シートで一体的に形成した使い捨てマスクとすることができるし、また、本体部をフィルタ素材でカップ状に成形し、このカップに、装着部を左右の耳にかけるための紐として取り付けた使い捨てマスクに適用することができる。あるいは、鼻から口にかかる本体部を低伸縮性シート材料で一体的に形成し、その左右両側に、比較的高伸縮性のシート状繊維材料で形成した耳掛け用の環状部を装着部として取り付けた使い捨てマスクに適用する等、種々の使い捨てマスクを対象とすることができる。
【００１８】
また、上記実施形態では、広告宣伝用の装飾Ａ１を、マスク６の本体部１を構成する一方の本体部構成部材の表面側の一部分に表示している例で説明したが、これに限定されず、本発明に係る配布用マスクは、マスクの装着時に前記本体部の第三者から視認可能な位置に広告宣伝用の装飾が表示されていればよい。すなわち、例えばマスクの全面に広告宣伝用の装飾を表示した構成とすることができる。
【００１９】
また、上記実施形態では、包装部材は、その包装内のマスクに施された広告宣伝用の装飾表示を視認可能な材料から形成されるとともに、包装部材の視認可能な位置に、その包装するマスクでの装飾表示に関連する装飾を表示した例で説明したが、これに限定されず、透明な材料以外の半透明ないし不透明な材料から形成することができる。また、包装部材には装飾を表示しない構成としてもよい。しかし、例えば広告・宣伝等の表示の効果をより効果的に奏する構成とする上では、上記実施形態での構成が好適である。
【００２０】
また、上記実施形態では、装飾の表示が、印刷によって施されている例で説明したが、これに限定されず、装飾の表示は、例えば、プリント転写、粘着シールの貼り付け等によって表示する構成としてもよい。
また、上記実施形態では、一枚のマスクと、これを内包する包装部材とを備える配布用マスクを例に説明したが、本発明に係る配布用マスクは、これに限定されず、例えば包装部材内に包装されるマスクは二枚（以上）とすることができる。あるいはまた、包装部材内に、更にその他の物、例えば宣伝用のビラ、チラシ等をマスクと一緒に包装する等、本発明の趣旨を逸脱しなければ種々の変形が可能であることは勿論である。
【図面の簡単な説明】
【００２１】
【図１】本発明に係る配布用マスクの一実施形態を説明する図であり、同図では、本発明に係るマスクの包装前の状態を斜視図で示している。
【図２】本発明に係る配布用マスクの一実施形態を説明する図であり、同図では、図１のマスクを包装部材で包装した状態で示している。
【図３】本発明に係るマスクの他の例を示す図である。
【符号の説明】
【００２２】
１    本体部
２    本体部構成部材
３    装着部
４    耳掛け部
５    溶着部
６    マスク
８    包装部材
１０    配布用マスク
Ａ１、Ａ２    広告宣伝用の装飾
【図１】
2006320475.tif 000003
【図２】
2006320475.tif 000004
【図３】
2006320475.tif 000005